(57)【要約】【課題】  プレー用のパターを利用して、プレーヤーの利き目とゴルフボールの位置を正確にあわせ、その位置を保持したままでパットを引き、ゴルフボールを打ち、打った後も利き目の位置を保持し続ける事を簡単な構造で確認でき、更に反復練習することにより、正しい姿勢を体に覚えさせることを可能とするパット練習具の提供。【解決手段】  ゴルフボールの直径にほぼ等しい、又は直径よりも小さい内径を持つ筒とそれを鉛直に支持する機構を持つことを特徴としたパット練習具を利用して、プレーヤーが、ゴルフボールを本パット練習具の筒の直下に置き、利き目で筒上から筒を通してこのゴルフボールを覗き込みながら打ち、打った後も利き目の位置を筒上に保持することでヘッドアップの無い正しい姿勢を反復練習することによって解決する。【選択図】図１
2014233618.tif 000002
【特許請求の範囲】
【請求項１】
ゴルフボールの直径にほぼ等しい、又は直径よりも小さい内径を持つ筒とそれを鉛直に支持する機構を持つパット練習具
【請求項２】
筒の真下にゴルフボールを置く位置とパターの移動方向、ゴルフボールの打ち出し方向を示したパット練習具用シート
【発明の詳細な説明】
【技術分野】
【０００１】  本発明は、プレー用のパターを使用して、どこでもパット技術を向上させる練習を効果的に実施することのできるパット練習具に関するものである。
【背景技術】
【０００２】  近年ゴルフは大衆化され、ゴルフ練習場も増えて練習には事欠かない、しかしパター練習場は少なく、一般のプレーヤーは自宅の絨毯、あるいは、パット練習用の人工芝等を使い練習している。然しながら、ゴルフボールはなかなか目標とする方向に真直ぐに転がらず、曲がる、これはパッティングという動作が意識だけで充分左右できるものでは無く、単なる条件反射であるからだ。また、正しいフォームで打つための反復練習をしようにも感覚だけではうまくいかない。【０００３】  そこで正しいフォームを身につけるためのパット練習具、パター練習機に関する先行技術を調べてみると、其の殆どがパットの打球姿勢に関するもので、特に多く、レーザー発行器を設けたものが提示されているが、高価で、一般的ではない。
（例えば、特許文献１、特許文献２、参照）【０００４】  又、パターヘッドにガイドバーを取付けてそれを目視しながらスイングの練習を行うもの、正しいアドレスの姿勢、直線的なスイングターゲットとボールとパターとの直線性の維持、等の一連の動作を練習するものである。
（例えば、特許文献３参照）【０００５】  又、２つのリング状フレームを持つ照準器を通して利き目でゴルフボールを見ることを習慣づけるゴルフ練習機が提案されているが、これは、ゴルフクラブのアドレス位置とトップの位置を利き目の移動位置を通して一定に固定することを習慣づけるものであり、ショットの動作パターンを練習するものである。
（例えば、特許文献４参照）【０００６】  又、ゴルフボールの真上中空に、ボールに重ねて見る１本以上のガイドとなる線を脚部で支えて設置し、アドレスと方向の調整を行うパッティングの練習機は、練習時にホールの中央等の目標点を真上から見下ろして練習する器具であるが、両目を結ぶ線上にボールをセットするものであり、パッティング中に利き目が両目を結ぶ線上を移動することを防ぐことはできず、ヘッドアップの原因となる。
（例えば、特許文献５参照）【０００７】  上記の通り、先行技術では、パターヘッドに当たった後か、又は、パットの際、両目を結ぶ線上の真下にゴルフボールをセットすることを追いかけている。それ以外に問題があることは上記の通りであるが、この事に多くのゴルファーは気づいていない。ここにひとつの問題がある。パットを正確に行うためには、利き目が正確にゴルフボールの真上にあることとパットの最中に利き目が動かないことが重要である。しかしながら、実際の練習で利き目とボールの位置を正確にセットする手段は無く、感覚で反復練習をしている。【０００８】  ゴルフボールを正確にカップインさせるためには、プレーヤーの利き目とゴルフボールの位置を正確にあわせ、その位置を保持したままでパットを引き、ゴルフボールを打ち、打った後も利き目の位置を保持し続けることが重要であり、普段から上記の正しい位置関係を実現する姿勢を反復練習しなければならない。【０００９】  上記、先行文献でも、プレーヤーの利き目とゴルフボールの位置を正確にあわせる姿勢を反復練習できるパット練習具は提示されていない。
【先行技術文献】
【特許文献】
【００１０】
【特許文献１】特開２００３−３０５１４８号  公報
【特許文献２】登録実用新案公報第３０４２３５６号  公報
【特許文献３】特開２００９−２８４８３号  公報
【特許文献４】特開平４−３０９３７８号  公報
【特許文献５】特開２００１−５４６０６号  公報
【発明の概要】
【発明が解決しようとする課題】
【００１１】  プレー用のパターを利用して、プレーヤーの利き目とゴルフボールの位置を正確にあわせ、その位置を保持したままでパットを引き、ゴルフボールを打ち、打った後も利き目の位置を保持し続ける事が簡単な構造で確認でき、更に反復練習することにより、正しい姿勢を体に覚えさせることを可能とするパット練習具の提供。
【課題を解決するための手段】
【００１２】  ゴルフボールの直径にほぼ等しい、又は直径よりも小さい内径を持つ筒とそれを鉛直に支持する機構を持つことを特徴としたパット練習具を利用して、プレーヤーが、ゴルフボールを本パット練習具の筒の直下に置き、利き目で筒上から筒を通してこのゴルフボールを覗き込みながら打ち、打った後も利き目の位置を筒上に保持することでヘッドアップの無い正しい姿勢を反復練習することによって解決する。
【発明の効果】
【００１３】  プレーヤーは、本練習具を利用して利き目とゴルフボールの位置を正確にあわせ、その位置を保持したままでパットを引き、ゴルフボールを打ち、打った後も利き目の位置を保持し続ける事が可能となり、それを反復練習することにより、正しい姿勢を体に覚えさせることができる。又、プレー用のパターを利用し、本練習具を簡単にセットしてプレー前のパター練習でも利用できるので練習の結果をそのままプレーに反映できる。
【図面の簡単な説明】
【００１４】
【図１】本発明のパット練習具の概略構成図
【図２】本発明のパット練習具用シートの実施例
【図３】本発明の携帯用パット練習具の実施例
【図４】本発明の微調整機構の実施例
【図５】本発明の実施例の使用状態図
【発明を実施するための形態】
【００１５】  以下に本発明の実施の形態を図１から図５に基づいて説明する。図１は、本発明のパット練習具の概略構成図である。筒１は、長手方向に鉛直になるように自由に動く機構を持つ支持金具２を通して柱３に接続され、柱３は、全体が移動しない重りの役目を果たす台４に取付けられている。又、柱３は、例えば卓上スタンドの首の部分のようにフレキシブルに曲げられる構造であっても良い。
【００１６】  図２は、本パット練習具をより効果的に利用するためのシートであり、マット状のシート５にゴルフボールをセットする位置を示す十字と丸６とパターを引く方向と引き幅の目安を示すパター用ライン７とゴルフボールの打ち出し方向を確認するボール用ライン８からなり、十字と丸６が本パット練習具の筒の直下になるように設置して使用する。
【００１７】  パッティングの練習で一番大切なことは、プレーヤーの利き目とゴルフボールの位置を正確にあわせ、その位置を保持したままでパットを引き、ゴルフボールを打ち、打った後も利き目の位置を保持し続ける事である。本発明では、プレーヤーが、本パット練習具の鉛直にセットされた筒１の真下に位置するゴルフボールを利き目で真上から筒１を通して覗き込みながら打ち、打った後も利き目で覗き込み続けることで誰でも簡単にヘッドアップを防止して正しい姿勢でパットをすることと共に、パターを引く方向と引き幅の大きさを示すライン７とゴルフボールの打ち出し方向を確認するライン８を利用して、パターの距離感と方向性を鍛えることができ、反復練習をすることで筋肉にその感覚を覚えさせるようなパット練習具を創案した。
【実施例１】
【００１８】  パット練習具は、単独でも自宅で絨毯の上や他の練習用マット等と組み合わせて使用することも可能であり、更に、図３に示したように台４の代わりにフレキシブルな三脚やティーのように芝生にさせる形状を持つ脚９に変えることで携帯が可能となり、プレー当日は、練習グリーンにセットして使用することでプレー前のパター練習でも正しい姿勢を確認し、練習の結果をそのままプレーに反映できる。
【実施例２】
【００１９】  プレーヤーによっては、利き目の直下にゴルフボールをセットするよりも若干前後左右にずらしたほうが、よりスムーズなパットができる場合がある。この場合は、図４に示した微調整用重り１０を筒に取付けることで任意の方向に筒をずらすことができ、プレーヤーの特徴に合わせた練習を可能とする。
【実施例３】
【００２０】  図５は、本パット練習具にシート５をセットして使用している状態図である。
【符号の説明】
【００２１】  １  筒
２  支持金具
３  柱
４  台
５  シート
６  十字と丸
７  パター用ライン
８  ボール用ライン
９  脚
１０  微調整用重り
【図１】
2014233618.tif 000003
【図２】
2014233618.tif 000004
【図３】
2014233618.tif 000005
【図４】
2014233618.tif 000006
【図５】
2014233618.tif 000007